(57)【特許請求の範囲】
【請求項１】
表胴部及び裏胴部を備える胴部と、
前記胴部からのびて形成された蓋部、及び
前記胴部及び前記蓋部に形成され、前記胴部及び前記蓋部を着脱可能な状態で結合するための面状ファスナとを有する表紙構造であって、
前記胴部及び前記蓋部において前記面状ファスナを形成する部分に前記面状ファスナの形状に対応する形状の面状ファスナ用凹部が形成され、
前記面状ファスナは前記面状ファスナ用凹部内に配置され、
表胴部は、その内面に設けられる収納部の第１表紙固定部を嵌挿するための第１嵌挿部を形成され、
裏胴部は、その内面に設けられる収納部の第２表紙固定部を嵌挿するための第２嵌挿部を形成された、表紙構造。
【請求項２】
前記胴部及び前記蓋部は、そのいずれか一方又はそれぞれ、前記面状ファスナを形成する部分において複数層に形成され、前記面状ファスナ用凹部は、前記複数層の少なくとも一部の層に形成された、請求項１に記載の表紙構造。
【請求項３】
前記胴部を構成する表胴部の端部は、折り返して複数層に形成され、折り返した層に面状ファスナを嵌め込むための貫通孔を形成された、請求項１または請求項２に記載の表紙構造。
【請求項４】
前記第１嵌挿部及び第２嵌挿部は、スリット状であり、
第１嵌挿部及び第２嵌挿部に嵌挿されて表紙に固定された収納部の底縁部及び開口部が、表胴部と底部との間のヒンジ部及び裏胴部と底部との間のヒンジ部に平行に並ぶように、胴部の表胴部と底部との間のヒンジ部及び胴部の裏胴部と底部との間のヒンジ部と略々平行に形成された、請求項１ないし請求項３のいずれかに記載の表紙構造。
【発明の詳細な説明】
【技術分野】
【０００１】
この発明は表紙構造に関し、特に、表紙本体と、表紙本体からのびて形成された蓋体と、それらを脱着可能な状態で結合するための面状ファスナとを有し、たとえば、カードホルダー、カードケースなどに用いられる表紙構造に関する。
【背景技術】
【０００２】
この発明の背景となる従来のカードケースの一例が、例えば特開２００９−２３２９７４号公報に開示されている（特許文献１参照）。特許文献１に開示されているカードケースは、例えば、ケース本体と、このケース本体内に配置されるカード収容部とで構成されている。ケース本体は、合成樹脂、不織布、皮革、合成皮革等の帯状材を２箇所で折り曲げて折り重ねることができるようにしたものである。そして、帯状材を折り曲げることにより、内面部と、外面部と、カバー部とが形成される。内面部の外面と、カバー部の内面とには、面状ファスナが設けられ、互いに係合することにより内面部をカバー部で覆って折り重ねた状態に維持できるようになっている。
【先行技術文献】
【特許文献】
【０００３】
【特許文献１】特開２００９−２３２９７４号公報
【発明の概要】
【発明が解決しようとする課題】
【０００４】
ところが、このような従来のカードケースでは、内面部の外面及びカバー部の内面に面状ファスナを設ける際に面状ファスナの位置決めが難しい。
【０００５】
それゆえに、この発明の主たる目的は、面状ファスナの位置決めがしやすい、表紙構造を提供することである。
【課題を解決するための手段】
【０００６】
この発明の請求項１にかかる表紙構造は、表胴部及び裏胴部を備える胴部と、前記胴部からのびて形成された蓋部、及び前記胴部及び前記蓋部に形成され、前記胴部及び前記蓋部を着脱可能な状態で結合するための面状ファスナとを有する表紙構造であって、前記胴部及び前記蓋部において前記面状ファスナを形成する部分に前記面状ファスナの形状に対応する形状の面状ファスナ用凹部が形成され、前記面状ファスナは前記面状ファスナ用凹部内に配置され、表胴部は、その内面に設けられる収納部の第１表紙固定部を嵌挿するための第１嵌挿部を形成され、裏胴部は、その内面に設けられる収納部の第２表紙固定部を嵌挿するための第２嵌挿部を形成された、表紙構造である。
この発明の請求項２にかかる表紙構造においては、前記胴部及び前記蓋部は、そのいずれか一方又はそれぞれ、前記面状ファスナを形成する部分において複数層に形成され、前記面状ファスナ用凹部は、前記複数層の少なくとも一部の層に形成された、請求項１に記載の表紙構造である。
この発明の請求項３にかかる表紙構造においては、前記胴部を構成する表胴部の端部は、折り返して複数層に形成され、折り返した層に面状ファスナを嵌め込むための貫通孔を形成された、請求項１または請求項２に記載の表紙構造である。
この発明の請求項４にかかる表紙構造においては、前記第１嵌挿部及び第２嵌挿部は、スリット状であり、第１嵌挿部及び第２嵌挿部に嵌挿されて表紙に固定された収納部の底縁部及び開口部が、表胴部と底部との間のヒンジ部及び裏胴部と底部との間のヒンジ部に平行に並ぶように、胴部の表胴部と底部との間のヒンジ部及び胴部の裏胴部と底部との間のヒンジ部と略々平行に形成された、請求項１ないし請求項３のいずれかに記載の表紙構造である。
【発明の効果】
【０００７】
請求項１の発明によれば、表胴部及び裏胴部を備える胴部と、前記胴部からのびて形成された蓋部、及び前記胴部及び前記蓋部に形成され、前記胴部及び前記蓋部を着脱可能な状態で結合するための面状ファスナとを有する表紙構造であって、前記胴部及び前記蓋部において前記面状ファスナを形成する部分に前記面状ファスナの形状に対応する形状の面状ファスナ用凹部が形成され、前記面状ファスナは前記面状ファスナ用凹部内に配置され、表胴部は、その内面に設けられる収納部の第１表紙固定部を嵌挿するための第１嵌挿部を形成され、裏胴部は、その内面に設けられる収納部の第２表紙固定部を嵌挿するための第２嵌挿部を形成されているので、面状ファスナの位置決めがし易い。
請求項２の発明によれば、前記胴部及び前記蓋部は、そのいずれか一方又はそれぞれ、前記面状ファスナを形成する部分において複数層に形成され、前記面状ファスナ用凹部は、前記複数層の少なくとも一部の層に形成されているので、容易に面状ファスナの位置決めができる。
請求項３の発明によれば、前記胴部を構成する表胴部の端部は、折り返して複数層に形成され、折り返した層に面状ファスナを嵌め込むための貫通孔を形成されているので、面状ファスナの固定部を容易に形成できる。
請求項４の発明によれば、前記第１嵌挿部及び第２嵌挿部は、スリット状であり、第１嵌挿部及び第２嵌挿部に嵌挿されて表紙に固定された収納部の底縁部及び開口部が、表胴部と底部との間のヒンジ部及び裏胴部と底部との間のヒンジ部に平行に並ぶように、胴部の表胴部と底部との間のヒンジ部及び胴部の裏胴部と底部との間のヒンジ部と略々平行に形成されているので、蓋部において面状ファスナが外れにくい。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の第１の実施の形態の収納具の収納部の構造の展開状態を示す斜視図解図である。
【図２】この発明の第１の実施の形態の収納具の収容部を閉じた状態を示す斜視図解図である。
【図３】（Ａ）は収納部の正面図解図であり、（Ｂ）は平面図解図である。
【図４】（Ａ）は収納部の正面図解図であり、（Ｂ）は平面図解図である。
【図５Ａ】収納部の斜視図解図である。
【図５Ｂ】収納部の平面図解図である。
【図６】収納部の背面図解図である。
【図７】収納部の背面図解図である。
【図８】収納部材の展開状態を示す平面図解図である。
【図９】収納部材の展開状態を示す拡大平面図解図である。
【図１０】収納部材により収納部を組み立てる方法を示す斜視図解図である。
【図１１】収納部材により収納部を組み立てる方法を示す斜視図解図である。
【図１２】収納部材により収納部を組み立てる方法を示す斜視図解図である。
【図１３】収納部材により収納部を組み立てる方法を示す斜視図解図である。
【図１４】収納部材により収納部を組み立てる方法を示す正面図解図である。
【図１５】収納部材により収納部を組み立てる方法を示す正面図解図である。
【図１６】収納部材により収納部を組み立てる方法を示す斜視図解図である。
【図１７】表紙部に収納部を固定する方法を示す平面図解図である。
【図１８】図１図示収納具の変形例の収納部材の展開状態を示す平面図解図である。
【図１９】図１８図示例の収納部材により収納部を組み立てる方法を示す平面図解図である。
【図２０】この発明の別の実施の形態の収納具の収納部の正面図解図であり、（Ａ）は第１袋状部の図で、（Ｂ）は第２袋状部の図である。
【図２１】この発明にかかる実施の形態の収納具の表紙体の斜視図解図である。
【図２２】表紙部を組み立てる方法を示す平面図解図である。
【図２３】表紙部を組み立てる方法を示す平面図解図である。
【図２４】表紙部を組み立てる方法を示す断面図解図である。
【図２５】表紙部を組み立てる方法を示す断面図解図である。
【図２６】表胴部及び面状ファスナと裏胴部及び面状ファスナとの関係を示す断面図解図である。
【図２７】この発明にかかる実施の形態の収納具の表紙体の平面図解図である。
【図２８】表紙部を組み立てる方法を示す断面図解図である。
【図２９】表紙部の断面図解図である。
【発明を実施するための形態】
【００１０】
この発明にかかる収納具１０は、表紙部２０と、表紙部２０の内面に設けられた、収納部４０とを備える。
この収納具１０は、複数のカード体等の被収納物Ｘを並列して収納するものであり、例えばクレジットカード、名刺、小物等の比較的薄い板状体の収納に適している。
【００１１】
表紙部２０は、比較的硬質なプラスチック板製であり、収納部４０を覆う適宜な広さを有する略方形状の表胴部２２及び略方形状の裏胴部２４と、表胴部２２と裏胴部２４との間に架設された略方形状の底部２６とを含む。
【００１２】
収納部４０は、前記表胴部２２と前記裏胴部２４との間において、開口部４８を有する袋状部４４が連続して複数並列して設けられている。
袋状部４４は、比較的柔軟なプラスチックシート製であり、略台形の第１主面部５２と底縁部６４を挟んで第１主面部５２に対向する略台形の第２主面部５４とを、直線状の底縁部６４及び底縁部６４と平行な手前側の開口縁部９０及び向こう側の開口縁部９２において連続されて袋状に形成され、底縁部６４及び手前側の開口縁部９０並びに向こう側の開口縁部９２と交差する直線状の右側の第１側縁部７２並びに直線状の左側の第２側縁部７４において囲繞されて袋状に形成されている。
第１側縁部７２と第２側縁部７４との間において第１主面部５２と第２主面部５４とが離れた直線状の手前側の開口縁部９０及び向こう側の開口縁部９２を形成されている。
【００１３】
この袋状部４４は、幅方向の中央において区画され、右側の第１収納部４２ａと左側の第２収納部４２ｂとに、それぞれ薄い板状体の被収納物Ｘが収納可能である。
第１収納部４２ａは、手前側の開口縁部９０と向こう側の開口縁部９２との間の開口部４８が伸縮自在に形成され、且つ、第２収納部４２ｂは、手前側の開口縁部９０と向こう側の開口縁部９２との間の開口部４８が伸縮自在に形成されている。
第１側縁部７２及び第２側縁部７４は、上下方向にのびて、水平方向にのびる手前側の開口縁部９０並びに向こう側の開口縁部９２及び底縁部６４と斜めに交差する。
【００１４】
収納部４０は、開口部４８を有する袋状部４４が開口部４８を構成する手前側の開口縁部９０及び向こう側の開口縁部９２において複数並列して連続して連結されており、隣接する第１袋状部４４ａと第２袋状部４４ｂとを連結する袋状部４４の手前側の開口縁部９０と向こう側の開口縁部９２との間の空間が伸縮自在に形成されたものである。
袋状部４４を構成する各第１袋状部４４ａ及び第２袋状部４４ｂは、同形、同大で、手前側の開口縁部９０並びに向こう側の開口縁部９２及び底縁部６４は、水平面上に一直線に並び、第１側縁部７２及び第２側縁部７４は、斜めの平面上に一直線に並ぶ。
前記袋状部４４の幅方向における両側の収納部４０が上方に向かうに従って広がるように、前記袋状部４４の幅方向における一端である第１側縁部７２及び他端である第２側縁部７４は、斜めに形成されて、正面視台形状に形成されている。
この収納具１０は、袋状部４４の幅方向における両側の収納部４０が上方に向かうに従って広がるように、袋状部４４の幅方向における一端及び他端が斜めに形成されているので、袋状部４４の開口部４８を開いたときに、袋状部４４の両側が内側に変形しても、収納部４０に収納されている例えばカード等の被収納物Ｘの上端部どうしが接触しにくい。
【００１５】
この実施の形態においては、手前側の開口縁部９０及び向こう側の開口縁部９２と底縁部６４とは平行で、手前側の開口縁部９０並びに向こう側の開口縁部９２及び底縁部６４と第１側縁部７２及び第２側縁部７４とは、斜交し、第１側縁部７２と第２側縁部７４とは上方に向かうに従ってその間の幅が拡がるテーパー状に形成されている。
第１側縁部７２及び第２側縁部７４は、底縁部６４と手前側の開口縁部９０及び向こう側の開口縁部９２との間において、形成されている。
収納部４０は、表紙部２０の表胴部２２と裏胴部２４との間に固定されることにより、表紙部２０の開閉に伴って収納部４０の開口部４８側が拡がる略扇子状又は底縁部６４と開口部４８とが略々均等に拡がる略アコーディオン状に伸縮する。
【００１６】
前記収納部４０は、一枚のポリプロピレン等のプラスチック製シート状の収納部材５０により構成されている。
収納部材５０は、トムソン加工により形成された溝による境界によって、第１主面部５２及び第２主面部５４と、底縁部６４及び開口部４８と、第１側縁部７２及び第２側縁部７４とを区画されている。
収納部材５０は、手前側より向こう側に向かって、第１袋状部４４ａと第２袋状部４４ｂとが交互に並列されるように構成されており、最も手前側の第１グループを構成する第１袋状部４４ａ及び第２袋状部４４ｂと、第１グループに続く向こう側の第２グループを構成する第１袋状部４４ａ及び第２袋状部４４ｂとを有している。
更に、収納部材５０は、第１グループ（第１袋状部４４ａ及び第２袋状部４４ｂで構成されている）と第２グループ（第１袋状部４４ａ及び第２袋状部４４ｂで構成されている）とを交互に並列されるように、複数の第１袋状部４４ａと第２袋状部４４ｂとが交互に並列されるように構成されている。
収納部材５０は、最も手前の第１グループを構成する第１袋状部４４ａの第１主面部５２に形成された第１表紙固定部６０と、最も向こう側の第１グループを構成する第２袋状部４４ｂの第２主面部５４に形成された第２表紙固定部６２とを有している。
【００１７】
前記第１主面部５２と第２主面部５４とは、底縁部６４（第１境界６４ａ）と、手前側の開口縁部９０（第２境界９０ａ及び第４境界９０ｂ）及び向こう側の開口縁部９２（第２境界９０ａ及び第４境界９０ｂ）とを交互に挟んで連続される。
【００１８】
第１主面部５２及び第２主面部５４は、略々同形、同大であり、第１境界６４ａ及び第３境界６４ｂを中心に略々対称に形成されている。
第１主面部５２及び第２主面部５４は、手前側端と向こう側端とが直線状で、各第１主面部５２の手前側端縁（手前側の開口縁部９０）と向こう側端縁（向こう側の開口縁部９２）は平行に形成され、且つ第２主面部５４の手前側端縁（手前側の開口縁部９０）及び向こう側端縁（向こう側の開口縁部９２）は平行に形成されている。
【００１９】
第１主面部５２の手前側端縁（手前側の開口縁部９０）を構成する第２境界９０ａ並びに第４境界９０ｂ及び第２主面部５４の向こう側端縁（向こう側の開口縁部９２）を構成する第２境界９０ａ並びに第４境界９０ｂは、略直線であり、平行状に、手前側から向こう側に並列される。
第２境界９０ａは、第１袋状部４４ａと第２袋状部４４ｂとからなる第１グループの、第２袋状部４４ｂの第２主面部５４と、第１袋状部４４ａの第１主面部５２との間の境界であり、第２袋状部４４ｂの手前側端縁（手前側の開口縁部９０）を構成するとともに、第１袋状部４４ａの向こう側端縁（向こう側の開口縁部９２）を構成する。
第４境界９０ｂは、前記第１グループに続く第２グループの第１袋状部４４ａを構成する第１主面部５２と第１グループの第２袋状部４４ｂを構成する第２主面部５４との間の境界であり、第１グループの第２袋状部４４ｂの向こう側端縁（向こう側の開口縁部９２）を構成するとともに、第２グループの第１収納部４２ａの手前側端縁（手前側の開口縁部９０）を構成する。
開口縁部を構成する第２主面部５４と第１主面部５２との間の第２境界９０ａ並びに第４境界９０ｂは、略直線状であり、平行状に、手前側から向こう側に並列される。
第２境界９０ａと第４境界９０ｂとの間に形成された第１境界６４ａ及び第３境界６４ｂは、略直線状であり、平行状に、手前側から向こう側に並列される。
【００２０】
第１主面部５２の第１側縁部７２は、直線状で、第１境界６４ａ及び第３境界６４ｂと斜交し、第１主面部５２の第２側縁部７４は、直線状で、第１境界６４ａ及び第３境界６４ｂと斜交する。
第２主面部５４の第１側縁部７２（第５境界７２ａ）は、直線状で、第１境界６４ａと斜交し、第２主面部５４の第２側縁部７４（第６境界７４ａ）は、直線状で第１境界６４ａと斜交する。
第２主面部５４の第１側縁部７２（第７境界７２ｂ）は、直線状で、第３境界６４ｂと斜交し、第２主面部５４の第２側縁部７４（第８境界７４ｂ）は、直線状で第３境界６４ｂと斜交する。
【００２１】
第１袋状部４４ａと第２袋状部４４ｂとの間の第２境界９０ａは、第１袋状部４４ａの向こう側の開口縁部９２を構成し、第２袋状部４４ｂの手前側の開口縁部９０を構成する。
前記第１袋状部４４ａと第２袋状部４４ｂとの第１グループに続く、第２グループの第２袋状部４４ｂと第１グループの第１袋状部４４ａとの間の第４境界９０ｂは、第１グループの第２袋状部４４ｂの向こう側の開口縁部９２を構成し、第２グループの第１袋状部４４ａの手前側の開口縁部９０を構成する。
第１主面部５２と第２主面部５４との間の第１境界６４ａは、第１袋状部４４ａの底縁部６４を構成し、又、前記第１袋状部４４ａと第２袋状部４４ｂとの間の第２境界９０ａの向こう側の、第１主面部５２と第２主面部５４との間の第３境界６４ｂは、第２袋状部４４ｂの底縁部６４を構成している。
【００２２】
第１袋状部４４ａの底縁部６４を構成する第１境界６４ａと第２袋状部４４ｂの底縁部６４を構成する第３境界６４ｂとは、平行に形成されている。手前側の開口縁部９０及び向こう側の開口縁部９２を構成する第２境界９０ａと第４境界９０ｂとは、平行に形成されている。
【００２３】
第１袋状部４４ａを構成する第２主面部５４は、第７境界７２ｂ及び第８境界７４ｂの近くで第２境界９０ａ側に第１凹部９６を形成され、且つ、第２袋状部４４ｂを構成する第２主面部５４は、第７境界７２ｂ及び第８境界７４ｂの近くで第４境界９０ｂ側に第２凹部９８を形成されている。
第１袋状部４４ａ及び第２袋状部４４ｂに、被収納物Ｘを収納したときに、第１凹部９６及び第２凹部９８は、第１袋状部４４ａ及び第２袋状部４４ｂを拡開し易くする。
【００２４】
前記第１袋状部４４ａを構成する第２主面部５４の幅方向における一端から幅方向にのびて形成される一方の第１係合部材５６ａと、前記第１袋状部４４ａを構成する第２主面部５４の幅方向における他端から幅方向にのびて形成され、前記一方の係合部材に係合可能に形成された他方の第２係合部材５８ａとを有する。
前記第２袋状部４４ｂを構成する第２主面部５４の幅方向における一端から幅方向にのびて形成される一方の第３係合部材５８ｂと、前記第２袋状部４４ｂを構成する第２主面部５４の幅方向における他端から幅方向にのびて形成され、前記一方の係合部材に係合可能に形成された他方の第４係合部材５６ｂとを有する。
【００２５】
第１主面部５２は、第１係合部材５６ａ及び第２係合部材５８ａを保持するための第１保持部６６を、第１主面部５２の幅方向における中央に形成されている。
第２主面部５４は、第１係合部材５６ａ及び第２係合部材５８ａを保持するための第２保持部６８を、第２主面部５４の幅方向における中央に形成されている。
【００２６】
最も手前側の端の第１主面部５２に連設された第１表紙固定部６０は、舌状に第１主面部５２の端縁より手前側に突設されており、前記第１表紙固定部６０を形成された端とは離れた反対側の最も向こう側の端の第２主面部５４に連設された第２表紙固定部６２は、台形状ないしは舌状に第２主面部５４の端縁より向こう側に突設されている。
【００２７】
第１保持部６６は、第１主面部５２に形成され、第２保持部６８は、第２主面部５４に形成されており、第１保持部６６及び第２保持部６８は、いずれも直線状の底縁部６４（第１境界６４ａ）に直交ないし交差する方向にのびる、直線状の細長い切り込みにより構成されている。
【００２８】
前記第１保持部６６は、袋状部４４を構成する前記第１主面部５２に形成された第１挿通孔６６ａ及び第２挿通孔６６ｂと、前記第１挿通孔６６ａと第２挿通孔６６ｂとの間に形成された帯状部６６ｃとを有している。
第２保持部６８は、袋状部４４を構成する前記第２主面部５４に形成された第１挿通孔６８ａ及び第２挿通孔６８ｂと、前記第１挿通孔６８ａと第２挿通孔６８ｂとの間に形成された帯状部６８ｃとを有している。
【００２９】
前記第１保持部６６及び第２保持部６８は、前記第１主面部５２及び第２主面部５４に、同一位置において形成されている。
前記第１保持部６６及び第２保持部６８は、各収納部４０の境界に形成されて、並列された第１収納部４２ａ及び第２収納部４２ｂの間を区画するように形成されている。
前記一方の第２係合部材５８ａは、第２挿通孔６６ｂ及び第２挿通孔６８ｂから第１挿通孔６８ａ及び第１挿通孔６６ａに亘って挿通されて、第１保持部６６及び第２保持部６８に保持されている。第２係合部材５８ａは、第１主面部５２と第２主面部５４とを連結して、第１収納部４２ａと第２収納部４２ｂとに分ける。
前記一方の第３係合部材５８ｂは、第１挿通孔６６ａ及び第１挿通孔６８ａから第２挿通孔６６ｂ及び第２挿通孔６８ｂに亘って挿通されて、第１保持部６６及び第２保持部６８に保持されている。第３係合部材５８ｂは、第１主面部５２と第２主面部５４とを連結して、第１収納部４２ａと第２収納部４２ｂとに分ける。
【００３０】
第１袋状部４４ａを構成する第２係合部材５８ａは、左側の第２側縁部７４（第６境界７４ａ）を挟んで第２主面部５４に連続され、且つ第１係合部材５６ａは、右側の第１側縁部７２（第５境界７２ａ）を挟んで第２主面部５４に連続される。
第１袋状部４４ａを構成する第２係合部材５８ａは略帯状であり、第６境界７４ａにおいて第１主面部５２側に折り曲げられたときに、第１主面部５２の手前側の領域の３分の２位を覆う長さを有している。第２係合部材５８ａは、第１保持部６６の第１挿通孔６６ａ並びに第２挿通孔６６ｂ及び第２保持部６８の第１挿通孔６８ａ並びに第２挿通孔６８ｂに挿入される幅に形成されている。
第１袋状部４４ａを構成する第１係合部材５６ａは、第１側縁部７２を構成する第５境界７２ａにおいて第１主面部５２側に折り曲げられたときに、第１主面部５２の第１収納部４２ａの領域を覆う長さを有している。第１係合部材５６ａは、第１主面部５２の幅の半分以下の幅に形成されている。
この収納具１０は、一方の係合部材（第１係合部材５６ａ，第２係合部材５８ａ）及び他方の係合部材（第４係合部材５６ｂ，第３係合部材５８ｂ）が、袋状部４４の幅方向における中央以外の部分において互いに係合可能に形成されている場合、袋状部４４の開口部４８を開いたときに、袋状部４４の両側が内側に変形しても、一方の係合部材（第１係合部材５６ａ，第２係合部材５８ａ）及び他方の係合部材（第４係合部材５６ｂ，第３係合部材５８ｂ）の互いに係合されている部分が外れにくい。
【００３１】
第２袋状部４４ｂを構成する第３係合部材５８ｂは、右側の第１側縁部７２（第７境界７２ｂ）を挟んで第２主面部５４に連続され、且つ第４係合部材５６ｂは、左側の第２側縁部７４（第８境界７４ｂ）を挟んで第２主面部５４に連続される。
第２袋状部４４ｂを構成する第３係合部材５８ｂは略帯状であり、第７境界７２ｂにおいて第１主面部５２側に折り曲げられたときに、第１主面部５２の手前側の領域の３分の２位を覆う長さを有している。第３係合部材５８ｂは、第１保持部６６の第１挿通孔６６ａ並びに第２挿通孔６６ｂ及び第２保持部６８の第１挿通孔６８ａ並びに第２挿通孔６８ｂに挿入される幅に形成されている。
第２袋状部４４ｂを構成する第４係合部材５６ｂは、第２側縁部７４を構成する第８境界７４ｂにおいて第１主面部５２側に折り曲げられたときに、第１主面部５２の第２収納部４２ｂの領域を覆う長さを有している。第４係合部材５６ｂは、第１主面部５２の幅の半分以下の幅に形成されている。
この収納具１０は、一方の係合部材（第１係合部材５６ａ，第２係合部材５８ａ）及び他方の係合部材（第４係合部材５６ｂ，第３係合部材５８ｂ）が、袋状部４４の幅方向における中央以外の部分において互いに係合可能に形成されている場合、袋状部４４の開口部４８を開いたときに、袋状部４４の両側が内側に変形しても、一方の係合部材（第１係合部材５６ａ，第２係合部材５８ａ）及び他方の係合部材（第４係合部材５６ｂ，第３係合部材５８ｂ）の互いに係合されている部分が外れにくい。
【００３２】
前記一方の第１係合部材５６ａと他方の第２係合部材５８ａとは、前記袋状部４４の幅方向における長さが異なる。
第１袋状部４４ａの一方の左側の第２係合部材５８ａは、他方の右側の第１係合部材５６ａより長く、前記第１袋状部４４ａと隣り合う第２袋状部４４ｂの一方の右側の第３係合部材５８ｂは、他方の左側の第４係合部材５６ｂより長く形成されている。
前記複数の袋状部４４において、前記一方の第１係合部材５６ａと他方の第２係合部材５８ａ及び前記一方の第４係合部材５６ｂと他方の第３係合部材５８ｂが係合されると、第１袋状部４４ａと第２袋状部４４ｂとにおいてそれぞれの係合部分は、前記袋状部４４の幅方向における（中央の両側である）一端側及び他端側に交互に配置されている。
複数の袋状部（第１袋状部４４ａ，第２袋状部４４ｂ）において一方の係合部材（第１係合部材５６ａ，第２係合部材５８ａ）及び他方の係合部材（第４係合部材５６ｂ，第３係合部材５８ｂ）が係合されるそれぞれの部分が、袋状部４４の幅方向における中央の両側である一端側及び他端側に交互に配置されていると、一方の係合部材（第１係合部材５６ａ，第２係合部材５８ａ）及び他方の係合部材（第４係合部材５６ｂ，第３係合部材５８ｂ）の係合される部分の厚みが分散されるので、全体の厚みが一部分に偏らない。
【００３３】
第１係合部材５６ａ及び第４係合部材５６ｂは、その先端の付近に、第２係合部材５８ａ及び第３係合部材５８ｂと係合させるための係合溝５６ｃが穿設されている。
第２係合部材５８ａ及び第３係合部材５８ｂは、その先端の付近に、第１係合部材５６ａ及び第４係合部材５６ｂと係合させるための係合溝５８ｃが穿設されている。
【００３４】
この実施の形態においては、第２係合部材５８ａ及び第３係合部材５８ｂは、中央付近から先端にかけて第１保持部６６の第１挿通孔６６ａ並びに第２挿通孔６６ｂ及び第２保持部６８の第１挿通孔６８ａ並びに第２挿通孔６８ｂに挿通するための幅（高さ）にするために細く形成された帯状の挿通部５８ｆを備える。係合溝５８ｃは、挿通部５８ｆに穿設されている。
また、この実施の形態においては、第２係合部材５８ａ及び第３係合部材５８ｂは、第１係合部材５６ａの上端縁に正面視Ｖ字型のガイド部５６ｅを形成され、第２係合部材５８ａの上端縁に正面視Ｖ字型のガイド部５８ｅを形成されている。
ガイド部５６ｅは、第１収納部４２ａの位置を示す案内であり、ガイド部５８ｅは、第２収納部４２ｂの位置を示す案内である。
【００３５】
第１袋状部４４ａを構成する底縁部６４は、第１境界６４ａにおいて谷折りされて第１主面部５２と第２主面部５４とが対向し、第１袋状部４４ａを構成する第２主面部５４と第２袋状部４４ｂを構成する第１主面部５２との間の第２境界９０ａは、山折りされる。
そして、第１袋状部４４ａに隣り合う第２袋状部４４ｂを構成する底縁部６４は、第３境界６４ｂにおいて谷折りされて第１主面部５２と第２主面部５４とが対向し、第２袋状部４４ｂを構成する第２主面部５４と第２袋状部４４ｂに隣接する第２グループの第１袋状部４４ａを構成する第１主面部５２との間の第４境界９０ｂは、山折りされる。
第１袋状部４４ａを構成する第２主面部５４と第２袋状部４４ｂを構成する第１主面部５２との間の第２境界９０ａは、山折りされて、第１主面部５２と第２主面部５４とが対向し、第１グループの第１袋状部４４ａを構成する向こう側の開口縁部９２及び第１グループの第２袋状部４４ｂを構成する手前側の開口縁部９０を形成される。
そして、第２グループの第１袋状部４４ａに隣り合う第１グループの第２袋状部４４ｂを構成する第２主面部５４と、第２グループの第１袋状部４４ａを構成する第１主面部５２との間の第４境界９０ｂは、山折りされて、第２グループの第１袋状部４４ａを構成する第１主面部５２と第１グループの第２袋状部４４ｂを構成する第２主面部５４とが対向する。
第２グループの第１袋状部４４ａを構成する第１主面部５２と第１グループの第２袋状部４４ｂを構成する第２主面部５４との間の第４境界９０ｂは、山折りされて、第１主面部５２と第２主面部５４とが対向し、第１グループの第２袋状部４４ｂを構成する向こう側の開口縁部９２及び第２グループの第１袋状部４４ａを構成する手前側の開口縁部９０を形成される。
【００３６】
第２係合部材５８ａは、第１主面部５２の第２挿通孔６６ｂから第２主面部５４の第２挿通孔６８ｂに差し込まれ、更に、第２主面部５４の帯状部６８ｃの向こう側を跨いで、第２主面部５４の第１挿通孔６８ａから第１主面部５２の第１挿通孔６６ａに差し込まれ、第１主面部５２の手前側の面に至る。
そして、第１係合部材５６ａの先端近傍と第２係合部材５８ａの先端近傍とが重ね合わされて、第１係合部材５６ａの係合溝５６ｃと第２係合部材５８ａの係合溝５８ｃとが嵌め込まれて、第１係合部材５６ａと第２係合部材５８ａとが先端で係合される。
第３係合部材５８ｂは、第１主面部５２の第１挿通孔６６ａから第２主面部５４の第１挿通孔６８ａに差し込まれ、更に、第２主面部５４の帯状部６８ｃの向こう側を跨いで、第２主面部５４の第２挿通孔６８ｂから第１主面部５２の第２挿通孔６６ｂに差し込まれ、第１主面部５２の手前側の面に至る。
そして、第４係合部材５６ｂの先端近傍と第３係合部材５８ｂの先端近傍とが重ね合わされて、第４係合部材５６ｂの係合溝５６ｃと第３係合部材５８ｂの係合溝５８ｃとが嵌め込まれて、第４係合部材５６ｂと第３係合部材５８ｂとが先端で係合される。
【００３７】
第１袋状部４４ａを構成する第２主面部５４と第１主面部５２とが続いた底縁部６４を構成する第１境界６４ａとは別の辺の向こう側の開口縁部９２を構成する第２境界９０ａは、それを挟んで隣接する第２袋状部４４ｂを構成する第１主面部５２が連続されるように構成されており、第１袋状部４４ａを構成する複数の第１主面部５２と第２主面部５４とが第２境界９０ａ及び第４境界９０ｂを挟んで交互に連続して並列して形成されている。
【００３８】
更に、この実施の形態における収納部材５０について、説明する。
第１袋状部４４ａを構成する第１主面部５２と第２主面部５４とは略長方形の板状体であり、第１主面部５２と第２主面部５４との間の第１境界６４ａは、右側から左側に連続する折り曲げ自在な直線状屈曲部を構成している。
第１係合部材５６ａは、第２主面部５４の右側の端において第５境界７２ａを介して連続された略帯状の板状体であり、第２係合部材５８ａは、第２主面部５４の左側の端において第６境界７４ａを介して連設された略帯状の板状体である。
第２主面部５４と第１係合部材５６ａとの間の第５境界７２ａは、上側から下側に連続する折り曲げ自在な直線状屈曲部であり、第１側縁部７２を形成する。
第２主面部５４と第２係合部材５８ａとの間の第６境界７４ａは、上側から下側に連続する折り曲げ自在な直線状屈曲部であり、第２側縁部７４を形成する。
これら第１主面部５２及び第２主面部５４と第１側縁部７２及び第２側縁部７４とにより、第１袋状部４４ａを構成するよう形成されている。
【００３９】
更に、第１グループの第１袋状部４４ａを構成する第２主面部５４の隣り、すなわち前記第１グループの第１袋状部４４ａを構成する第１主面部５２が連設されていない側の第２主面部５４の端縁に、第１グループの第１袋状部４４ａを構成するための隣接する別の第１主面部５２が並列して連設される。
そして、第１袋状部４４ａを構成する第２主面部５４と第２袋状部４４ｂを構成する第１主面部５２との間に、第１境界６４ａと平行な第２境界９０ａが形成される。
第２境界９０ａは、第１境界６４ａと同様な構造である。
【００４０】
更に、前記第１グループの第２袋状部４４ｂを構成する第２主面部５４に、前記第１グループの第２袋状部４４ｂを構成する第１主面部５２が連設されていない側の端縁において、向こう側に隣接する第２グループの第１袋状部４４ａを構成する第１主面部５２が並列して連設される。
そして、第１グループの第２袋状部４４ｂを構成する第２主面部５４と第２グループの第１袋状部４４ａを構成する第１主面部５２との間に、第２境界９０ａと別の第２境界９０ａと平行な第４境界９０ｂが形成される。
これら別の第２グループの第１主面部５２と第１グループの第２主面部５４とにより、第１グループの第２袋状部４４ｂに第２グループの第１袋状部４４ａを隣接して連続して構成するように形成されている。
向こう側において、それらに続く第１主面部５２及び第２主面部５４は、同様にして第１袋状部４４ａと第２袋状部４４ｂとが交互に形成されるように、第１グループの第１袋状部４４ａ及び第２袋状部４４ｂを構成する第１主面部５２と第２主面部５４と第２グループの第１袋状部４４ａ及び第２袋状部４４ｂを構成する第１主面部５２と第２主面部５４とが、順次くり返し、並ぶ。
第１主面部５２と第２主面部５４とは、略同形、同大である。
第１境界６４ａは、第２境界９０ａより短く、それぞれは、略々等間隔をおいて平行に並ぶ。
【００４１】
この実施の形態においては、第１境界６４ａ及び第３境界６４ｂは、その一部に、折り込み易くするためのスリット部６４Ｓを形成されている。
この実施の形態においては、第２境界９０ａ及び第４境界９０ｂは、その一部に、折り込み易くするためのスリット部９０Ｓを形成されている。
【００４２】
収納部材５０は、収納部材５０の第１主面部５２と第２主面部５４とを第１境界６４ａにおいて谷折りして内面を対向させて第１袋状部４４ａの底縁部６４を形成し且つ第１係合部材５６ａと第２係合部材５８ａとを第５境界７２ａ及び第６境界７４ａにおいて谷折りして第１主面部５２と対向させて、第１グループの第１袋状部４４ａの側縁部（第１側縁部７２及び第２側縁部７４）を形成する。
収納部材５０は、収納部材５０の第１主面部５２と第２主面部５４とを第１境界６４ａにおいて谷折りして内面を対向させて第２袋状部４４ｂの底縁部６４を形成し且つ第１係合部材５６ａと第２係合部材５８ａとを第５境界７２ａ及び第６境界７４ａにおいて谷折りして第１主面部５２と対向させて、第１グループの第２袋状部４４ｂの側縁部（第１側縁部７２及び第２側縁部７４）を形成する。
【００４３】
収納部材５０は、収納部材５０の第１主面部５２と第２主面部５４とを第１境界６４ａにおいて谷折りして、第１主面部５２と第２主面部５４とを対向させ、更に、第２主面部５４とそれに続く第１主面部５２との間の第２境界９０ａを山折りして第２主面部５４と第１主面部５２とを対向させるとともに、第１主面部５２と第２主面部５４とを第１境界６４ａにおいて谷折りして、第１主面部５２と第２主面部５４とを対向させ、更に、第２主面部５４とそれに続く第１主面部５２との間の第２境界９０ａを山折りして第２主面部５４と第１主面部５２とを対向させて、第１グループを構成する第１袋状部４４ａの第１主面部５２及び第２主面部５４、第２袋状部４４ｂの第１主面部５２及び第２主面部５４とを連続して並列させる。
そして、第１係合部材５６ａを第５境界７２ａで谷折りして、第１係合部材５６ａを第１主面部５２の手前側に対向させ、且つ、第２係合部材５８ａを第６境界７４ａで谷折りして、第２係合部材５８ａを第１主面部５２の手前側に対向させる。それとともに、第３係合部材５８ｂを第１主面部５２の手前側に対向させ、且つ、第４係合部材５６ｂを第８境界７４ｂで谷折りして、第４係合部材５６ｂを第１主面部５２の手前側に対向させる。第１係合部材５６ａと第１主面部５２とを対向させ且つ第３境界６４ｂにおいて谷折りして、第２係合部材５８ａと第１主面部５２とを対向させる。
【００４４】
収納部材５０の第２係合部材５８ａ及び第３係合部材５８ｂは、前記第１保持部６６及び第２保持部６８に差し込む。それにより、第１主面部５２と第２主面部５４とを対向させて、第１主面部５２と第２主面部５４との間に、被収納物Ｘを収納する空間を有する袋状部４４を形成される。
前記第１保持部６６及び第２保持部６８は、第１主面部５２及び第２主面部５４の略々中央において底縁部６４に沿って形成され、前記第２係合部材５８ａ及び第３係合部材５８ｂは、第１主面部５２の第１保持部６６から第２主面部５４の第２保持部６８に跨って差し込まれて、第１主面部５２と第２主面部５４とを連結される。
【００４５】
第２境界９０ａにおいて連続する第１袋状部４４ａを構成する第２主面部５４と第２袋状部４４ｂを構成する第１主面部５２とを山折りして向こう側の開口縁部９２を形成し、第１袋状部４４ａと第２袋状部４４ｂとが、向こう側の開口縁部９２を構成する第２境界９０ａを介して並列される複数の袋状部４４を並列連続した、収納部４０を形成されている。
【００４６】
この収納部材５０には、収納部材５０の幅方向に延びる底縁部６４を構成する第１境界６４ａと向こう側の開口縁部９２を構成する第２境界９０ａとが交互に連続して設けられ、これら第１境界６４ａと第２境界９０ａとをそれぞれ山折り及び谷折りに、ジグザグに折曲げることにより、第１主面部５２と第２主面部５４とによって袋状部４４の内側面が形成される。
さらに、第１係合部材５６ａ及び第２係合部材５８ａは、第１主面部５２の対向する外側面であって、第１境界６４ａの上側に位置するように第１主面部５２側へ折込まれる。
【００４７】
このように、収納部材５０を折曲げることにより、隣り合う二つの第２境界９０ａによって袋状部４４の開口部４８が形成され、第１境界６４ａによって袋状部４４の底縁部６４が形成されて、開口部４８と底縁部６４とを有する第１袋状部４４ａと第２袋状部４４ｂとが蛇腹状に連続して複数並列して設けられた袋状部４４が成形される。
収納部４０は、複数の第１袋状部４４ａと第２袋状部４４ｂとが交互に並列された複数の袋状部４４により構成されている。
【００４８】
最も端の第１主面部５２及び／又は最も端の第２主面部５４に、収納部４０を覆うように表紙部２０を固定されている。
この実施の形態においては、最も手前側の第１主面部５２の第１表紙固定部６０を表胴部２２の内面に形成された第１嵌挿部２８に嵌挿されて固定され、最も向こう側の第２主面部５４の第２表紙固定部６２を裏胴部２４の内面に形成された第２嵌挿部３０に嵌挿されて固定されている。第１嵌挿部２８及び第２嵌挿部３０は、表胴部２２と底部２６及び裏胴部２４と底部２６との間のヒンジ部（屈曲線１３０ａ及び屈曲線１３０ｃで構成される）と、略々平行に形成される。そして、第１嵌挿部２８及び第２嵌挿部３０に嵌挿されて表紙部２０に固定された収納部４０の底縁部６４及び開口部４８は、表胴部２２と底部２６及び裏胴部２４と底部２６との間のヒンジ部（屈曲線１３０ａ及び屈曲線１３０ｃで構成される）と、平行に並ぶ。
【００４９】
次に、この発明にかかる図１図示実施の形態である収納具の変形例について、主として図１８及び図１９に基づいて説明する。
【００５０】
最も向こう側のグループの前記第１袋状部４４ａを構成する第２主面部５４の幅方向における一端（右端）から幅方向にのびて形成される一方の第１係合部材５６ａと、前記第１袋状部４４ａを構成する第２主面部５４の幅方向における他端（左端）から幅方向にのびて形成され、前記一方の係合部材（第１係合部材５６ａ）に係合可能に形成された他方の第２係合部材５８ａとを有する。
最も向こう側のグループの前記第２袋状部４４ｂを構成する第１主面部５２の幅方向における一端（右端）から幅方向にのびて形成される一方の第３係合部材５８ｂと、前記第２袋状部４４ｂを構成する第１主面部５２の幅方向における他端（左端）から幅方向にのびて形成され、前記一方の係合部材（第３係合部材５８ｂ）に係合可能に形成された他方の第４係合部材５６ｂとを有する。
【００５１】
第１主面部５２は、第１係合部材５６ａ及び第２係合部材５８ａを保持するための第１保持部６６を、第１主面部５２の幅方向における中央に形成されている。
第２主面部５４は、第１係合部材５６ａ及び第２係合部材５８ａを保持するための第２保持部６８を、第２主面部５４の幅方向における中央に形成されている。
【００５２】
最も向こう側のグループの前記一方の第２係合部材５８ａは、第２挿通孔６６ｂ及び第２挿通孔６８ｂから第１挿通孔６６ａ及び第１挿通孔６８ａに亘って挿通されて、第１保持部６６及び第２保持部６８に保持されている。第２係合部材５８ａは、第１主面部５２と第２主面部５４とを連結して、第１収納部４２ａと第２収納部４２ｂとに分ける。
前記一方の第３係合部材５８ｂは、第１挿通孔６８ａ及び第１挿通孔６６ａから第２挿通孔６６ｂ及び第２挿通孔６８ｂに亘って挿通されて、第１保持部６６及び第２保持部６８に保持されている。
【００５３】
最も向こう側のグループの第１袋状部４４ａを構成する第１係合部材５６ａは、右側の第１側縁部７２（第５境界７２ａ）を挟んで第２主面部５４に連続され、且つ第２係合部材５８ａは、左側の第２側縁部７４（第６境界７４ａ）を挟んで第２主面部５４に連続される。
第１袋状部４４ａを構成する第２係合部材５８ａは略帯状であり、第６境界７４ａにおいて第１主面部５２側に折り曲げられたときに、第１主面部５２の手前側の領域の３分の２位を覆う長さを有している。第２係合部材５８ａは、第１保持部６６の第１挿通孔６６ａ並びに第２挿通孔６６ｂ及び第２保持部６８の第１挿通孔６８ａ並びに第２挿通孔６８ｂに挿入される幅に形成されている。
第１袋状部４４ａを構成する第１係合部材５６ａは、第１側縁部７２を構成する第５境界７２ａにおいて第１主面部５２側に折り曲げられたときに、第１主面部５２の第２収納部４２ｂの領域を覆う長さを有している。第１係合部材５６ａは、第１主面部５２の幅の半分以下の幅に形成されている。
【００５４】
最も向こう側のグループの第２袋状部４４ｂを構成する第３係合部材５８ｂは、右側の第１側縁部７２（第７境界７２ｂ）を挟んで第１主面部５２に連続され、且つ第４係合部材５６ｂは、左側の第２側縁部７４（第８境界７４ｂ）を挟んで第１主面部５２に連続される。
第２袋状部４４ｂを構成する第３係合部材５８ｂは略帯状であり、第７境界７２ｂにおいて第２主面部５４側に折り曲げられたときに、第２主面部５４の手前側の領域の３分の２位を覆う長さを有している。第３係合部材５８ｂは、第１保持部６６の第１挿通孔６６ａ並びに第２挿通孔６６ｂ及び第２保持部６８の第１挿通孔６８ａ並びに第２挿通孔６８ｂに挿入される幅に形成されている。
第２袋状部４４ｂを構成する第４係合部材５６ｂは、第２側縁部７４を構成する第８境界７４ｂにおいて第２主面部５４側に折り曲げられたときに、第２主面部５４の第１収納部４２ａの領域を覆う長さを有している。第４係合部材５６ｂは、第１主面部５２の幅の半分以下の幅に形成されている。
【００５５】
前記一方の第１係合部材５６ａと他方の第２係合部材５８ａとは、前記袋状部４４の幅方向における長さが異なる。
第１袋状部４４ａの一方の第２係合部材５８ａは他方の第１係合部材５６ａより長く、前記第１袋状部４４ａと隣り合う第２袋状部４４ｂの一方の第３係合部材５８ｂは、他方の第４係合部材５６ｂより長く形成されている。
前記複数の袋状部４４において、前記一方の第１係合部材５６ａと他方の第２係合部材５８ａ及び前記一方の第４係合部材５６ｂと他方の第３係合部材５８ｂが係合されると、第１袋状部４４ａと第２袋状部４４ｂとにおいてそれぞれの係合部分は、前記袋状部４４の幅方向における（中央の両側である）一端側及び他端側に交互に配置されている。
【００５６】
次に、この発明にかかる別の実施の形態である収納具について、主として図２０に基づいて説明する。
この収納具３１０は、前記実施の形態の収納具１０と比して、収納部３４０を１．５〜２倍に増加させている。
収納部３４０は、前記実施の形態において説明した第１収納部３４２ａ及び第２収納部３４２ｂに続いて第３収納部３４２ｃが構成されている。
【００５７】
この発明にかかる実施の形態である収納具３１０は、第１収納部３４２ａと第２収納部３４２ｂとの間に、第３収納部３４２ｃが形成されている。
第１収納部３４２ａと第３収納部３４２ｃとの間を区画し且つ第２収納部３４２ｂと第３収納部３４２ｃとの間を区画するために、第１主面部３５２に第１保持部３６６が適宜な距離をおいて左右一対形成されるとともに、第２主面部３５４に第２保持部３６８が適宜な距離をおいて左右一対形成される。
そして、収納部３４０の幅が長くなったために、それに対応して第２係合部材３５８ａ及び第３係合部材３５８ｂは長く形成されている。
【００５８】
表紙部２０は、次の構造を備える。
表胴部２２は、上縁２２ａと右側縁２２ｂと左側縁２２ｃと下縁２２ｄとを備える。
裏胴部２４は、上縁２４ａと右側縁２４ｂと左側縁２４ｃと下縁２４ｄとを備える。
蓋部３２は、右側縁３２ｂと左側縁３２ｃと下縁３２ｄとを備える。
表紙部２０は、表紙部材１２０により構成されている。
表紙部材１２０は、表胴部２２を構成する外側部１２２ａ及び内側部１２２ｂと、裏胴部２４を構成する外側部１２４ａ及び内側部１２４ｂと、表胴部２２を構成する内側部１２２ｂと裏胴部２４を構成する内側部１２４ｂとの間に介在する底部２６と、蓋部３２を構成する蓋部の外側部１３２ａ及び蓋部の内側部１３２ｂとを備える。
外側部１２２ａと内側部１２２ｂと底部２６と外側部１２４ａと内側部１２４ｂと蓋部の外側部１３２ａと蓋部の内側部１３２ｂとは、屈曲線１３０で区画されている。各屈曲線１３０は、各々平行に形成されている。
【００５９】
表胴部２２を構成する外側部１２２ａと内側部１２２ｂとは、略々同じ方形板状体であり、表胴部２２は、外側部１２２ａと内側部１２２ｂとの複数の層からなる積層構造体である。
裏胴部２４を構成する外側部１２４ａと内側部１２４ｂとは、方形板状体であり、裏胴部２４は、外側部１２４ａと内側部１２４ｂとの複数の層からなる積層構造体である。
底部２６は、表胴部２２及び裏胴部２４より小さな方形板状体である。
底部２６の手前側に屈曲線１３０ａを介して、表胴部２２を構成する外側部１２２ａが並列され、外側部１２２ａの手前側に屈曲線１３０ｂを介して、表胴部２２を構成する内側部１２２ｂが並列されている。
底部２６の向こう側に屈曲線１３０ｃを介して、裏胴部２４を構成する内側部１２４ｂが並列され、内側部１２４ｂの外側に裏胴部２４を構成する外側部１２４ａが積層されている。
【００６０】
表胴部２２の外側部１２２ａは、楕円、まゆ型、俵型の貫通孔１０２が穿設されている。
表胴部２２の内側部１２２ｂは、第１表紙固定部６０を嵌挿するためのスリット状の第１嵌挿部２８を形成されている。第１嵌挿部２８は、内側部１２２ｂの略中央において右側から左側にのびるように形成されている。第１嵌挿部２８は、表紙部２０の開口端縁側の近くに収納部４０の開口部４８が位置するように構成されている。
裏胴部２４の内側部１２４ｂは、第２表紙固定部６２を嵌挿するためのスリット状の第２嵌挿部３０を形成されている。第２嵌挿部３０は、内側部１２４ｂの略中央において右側から左側にのびるように形成されている。第２嵌挿部３０は、表紙部２０の開口端縁側の近くに収納部４０の開口部４８が位置するように構成されている。
【００６１】
表紙部材１２０は、蓋部３２を構成する天部３４と被せ部３６とを備える。
蓋部３２は、蓋部の外側部１３２ａと蓋部の内側部１３２ｂとを備える。
裏胴部２４と蓋部３２とは、屈曲線１３０で区画されている。
天部３４と裏胴部２４とは、屈曲線１３０ｄで区画され、天部３４と被せ部３６とは、屈曲線１３０ｅで区画されている。
蓋部の外側部１３２ａと蓋部の内側部１３２ｂとは、屈曲線１３０ｆで区画されている。
屈曲線１３０ａと屈曲線１３０ｂと屈曲線１３０ｃと屈曲線１３０ｄと屈曲線１３０ｅと屈曲線１３０ｆとは、各々平行に形成されている。
【００６２】
蓋部３２を構成する蓋部の外側部１３２ａと蓋部の内側部１３２ｂとは、略々同じ方形板状体であり、蓋部３２は、蓋部の外側部１３２ａと蓋部の内側部１３２ｂとの複数の層からなる積層構造体である。
天部３４は、蓋部の外側部１３２ａ及び蓋部の内側部１３２ｂなどより小さな方形板状体である。
裏胴部２４の向こう側に屈曲線１３０ｄを介して天部３４が並列されている。
天部３４の向こう側に屈曲線１３０ｅを介して被せ部３６が並列されている。
天部３４の向こう側に屈曲線１３０ｅを介して蓋部３２を構成する被せ部３６の外側部１３２ａが並列され、蓋部の外側部１３２ａの向こう側に屈曲線１３０ｆを介して蓋部３２を構成する被せ部３６の内側部１３２ｂが並列されている。
蓋部３２を構成する蓋部の内側部１３２ｂは、楕円、まゆ型、俵型の貫通孔１０２が穿設されている。
【００６３】
表胴部２２は、表胴部２２の上方である、上縁２２ａの近くに、被せ部３６を表胴部２２に止めるための留め具１４０を固定する留め具固定部１００が形成されている。
被せ部３６は、下縁３２ｄの近くに、被せ部３６を表胴部２２に止めるための留め具１５０を固定する留め具固定部１１０が形成されている。
【００６４】
一方の留め具１４０は、平面視、楕円、まゆ型、俵型などの面状ファスナ１４２からなり、他方の留め具１５０は、平面視、楕円、まゆ型、俵型などの面状ファスナ１５２からなる。
面状ファスナ１４２は、基材１４４と基材１４４の表側に形成された鉤ないしはきのこ状の係止部１４６とを備える。
面状ファスナ１５２は、基材１５４と基材１５４の表側に形成されたループ状係止部１５６とを備える。
留め具１４０は、表胴部２２の留め具固定部１００に、表側の鉤ないしはきのこ状の係止部１４６とは反対側の基材１４４の裏面にて固定される。
他方の留め具１５０は、被せ部３６の留め具固定部１１０に、表側のループ状係止部１５６とは反対側の基材１５４の裏面にて固定される。
そして、被せ部３６の留め具１５０の係止部１５６は、被せ部３６を閉じたとき、表胴部２２の留め具１４０の係止部１４６に係合される。
【００６５】
蓋部３２が閉じられたとき、天部３４は、底部２６と対向し、被せ部３６は、表胴部２２の表側に重ねられる。
被せ部３６の留め具１５０は、表胴部２２の留め具１４０に係合される。
【００６６】
表紙部材１２０により表紙部２０を形成する方法について、主として図２２〜図２５に基づいて説明する。
【００６７】
表胴部２２を構成する外側部１２２ａと内側部１２２ｂとは、略々同じ方形板状体であり、表胴部２２は、外側部１２２ａと内側部１２２ｂとの複数の層からなる積層構造体を形成するように構成されている。表胴部２２を構成する外側部１２２ａは、楕円、まゆ型、俵型の貫通孔１０２が穿設されている。
裏胴部２４を構成する外側部１２４ａと内側部１２４ｂとは、方形板状体であり、裏胴部２４は、外側部１２４ａと内側部１２４ｂとの複数の層からなる積層構造体を形成するように構成されている。
底部２６は、表胴部２２及び裏胴部２４より小さな方形板状体である。
底部２６の手前側に屈曲線１３０ａを介して、表胴部２２を構成する外側部１２２ａが並列され、外側部１２２ａの手前側に屈曲線１３０ｂを介して、表胴部２２を構成する内側部１２２ｂが並列されている。
【００６８】
表紙部材１２０は、蓋部３２を構成する天部３４と被せ部３６とを備える。
蓋部３２は、蓋部の外側部１３２ａと蓋部の内側部１３２ｂとを備える。
裏胴部２４と蓋部３２とは、屈曲線１３０で区画されている。
天部３４と裏胴部２４とは、屈曲線１３０ｄで区画され、天部３４と被せ部３６とは、屈曲線１３０ｅで区画されている。
蓋部の外側部１３２ａと蓋部の内側部１３２ｂとは、屈曲線１３０ｆで区画されている。
屈曲線１３０ａと屈曲線１３０ｂと屈曲線１３０ｃと屈曲線１３０ｄと屈曲線１３０ｅと屈曲線１３０ｆとは、各々平行に形成されている。
【００６９】
蓋部３２を構成する蓋部の外側部１３２ａと蓋部の内側部１３２ｂとは、略々同じ方形板状体であり、蓋部３２は、蓋部の外側部１３２ａと蓋部の内側部１３２ｂとの複数の層からなる積層構造体を形成するように構成されている。
天部３４は、蓋部の外側部１３２ａ及び蓋部の内側部１３２ｂなどより小さな方形板状体である。
裏胴部２４の向こう側に屈曲線１３０ｄを介して天部３４が並列されている。
天部３４の向こう側に屈曲線１３０ｅを介して被せ部３６が並列されている。
天部３４の向こう側に屈曲線１３０ｅを介して蓋部３２を構成する被せ部３６の外側部１３２ａが並列され、蓋部の外側部１３２ａの向こう側に屈曲線１３０ｆを介して蓋部３２を構成する被せ部３６の内側部１３２ｂが並列されている。
蓋部３２を構成する蓋部の内側部１３２ｂは、楕円、まゆ型、俵型の貫通孔１０２が穿設されている。
外側部１２２ａと内側部１２２ｂとは、その間の屈曲線１３０ｂで折り曲げて、接合されて表胴部２２を形成される。
外側部１２４ａと内側部１２４ｂとは、外側部１２４ａの内面と内側部１２４ｂの外面とを接着剤で接着するか超音波で溶着することにより接着されて、積層される。
蓋部の外側部１３２ａと蓋部の内側部１３２ｂとは、その間の屈曲線１３０ｆで折り曲げて、接合されて蓋部３２の被せ部３６を形成される。
【００７０】
一方の留め具固定部１００は、表胴部の外側部１２２ａに穿設された楕円、まゆ型、俵型の貫通孔１０２と表胴部の内側部１２２ｂの内面との間に、留め具１４０を固定するための面状ファスナ用凹部１０４を形成されてなる。
面状ファスナ用凹部１０４は、固定される面状ファスナ１４２の外形に対応した形状である。
他方の留め具固定部１１０は、蓋部の内側部１３２ｂに穿設された楕円、まゆ型、俵型の貫通孔１０２と蓋部の外側部１３２ａの内面との間に、留め具１５０を固定するための面状ファスナ用凹部１１４を形成されてなる。
面状ファスナ用凹部１１４は、固定される面状ファスナ１５２の外形に対応した形状である。
【００７１】
留め具１４０は、表胴部の内側部１２２ｂの予め設定された位置において、鉤ないしはきのこ状係止部１４６とは反対側の基材１４４の面を接着剤で接着するか超音波で溶着することにより接着して固定される。
留め具１５０は、蓋部の外側部１３２ａの予め設定された位置において、ループ状係止部１５６とは反対側の基材１５４の面を接着剤で接着するか超音波で溶着することにより接着して固定される。
留め具１４０を構成する面状ファスナ１４２は、面状ファスナ用凹部１０４から鉤ないしはきのこ状係止部１４６が露出している。
留め具１５０を構成する面状ファスナ１５２は、面状ファスナ用凹部１１４からループ状係止部１５６が露出している。
【００７２】
特に、前記蓋部３２の先端部である蓋部３２から前記蓋部３２において留め具１５０の面状ファスナ１５２が設けられる部分までの距離Ｌ1は、前記蓋部３２の先端部である蓋部３２から前記表胴部２２において留め具１４０の面状ファスナ１４２が設けられる部分までの距離Ｌ2より長いので、蓋部３２を開けると、最初に表胴部２２と面状ファスナ１４２との間に力が加わるので、蓋部３２において留め具１５０の面状ファスナ１５２が外れにくい。
すなわち、前記蓋部３２において留め具１５０の面状ファスナ１５２が設けられる部分は、前記表胴部２２において留め具１４０の面状ファスナ１４２が設けられる部分に対応する部分の内側の部分であるので、蓋部３２を開けると、最初に表胴部２２と面状ファスナ１４２との間に力が加わるので、蓋部３２において留め具１５０の面状ファスナ１５２が外れにくい。
【００７３】
次に、この発明にかかる別の実施の形態である表紙部５２０を備えた収納具５１０について、主として図２７ないし図２９に基づいて説明する。
【００７４】
別の実施の形態である収納具５１０の表紙構造は、次の構造を備える。
表紙部５２０を構成する表胴部５２２は、上縁５２２ａと右側縁５２２ｂと左側縁５２２ｃと下縁５２２ｄとを備える。
表紙部５２０を構成する裏胴部５２４は、上縁５２４ａと右側縁５２４ｂと左側縁５２４ｃと下縁５２４ｄとを備える。
表紙部５２０を構成する蓋部５３２は、右側縁５３２ｂと左側縁５３２ｃと下縁５３２ｄとを備える。
表紙部５２０は、表紙部材６２０により構成されている。
表紙部材６２０は、表胴部５２２を構成する外側部６２２ａ及び内側部６２２ｂと、裏胴部５２４を構成する外側部６２４ａ及び内側部６２４ｂと、表胴部５２２を構成する内側部６２２ｂと裏胴部５２４を構成する内側部６２４ｂとの間に介在する底部５２６と、蓋部５３２を構成する蓋部の外側部６３２ａ及び蓋部の内側部６３２ｂとを備える。
外側部６２２ａと内側部６２２ｂと底部５２６と外側部６２４ａと内側部６２４ｂと蓋部の外側部６３２ａと蓋部の内側部６３２ｂとは、屈曲線６３０で区画されている。各屈曲線６３０は、各々平行に形成されている。
【００７５】
表胴部５２２を構成する外側部６２２ａと内側部６２２ｂとは、略々同じ方形板状体であり、表胴部５２２は、外側部６２２ａと内側部６２２ｂとの複数の層からなる積層構造体である。
裏胴部５２４を構成する外側部６２４ａと内側部６２４ｂとは、方形板状体であり、裏胴部５２４は、外側部６２４ａと内側部６２４ｂとの複数の層からなる積層構造体である。
底部５２６は、表胴部５２２及び裏胴部５２４より小さな方形板状体である。
底部５２６の手前側に屈曲線６３０ａを介して、表胴部５２２を構成する外側部６２２ａが並列され、外側部６２２ａの手前側に屈曲線６３０ｂを介して、表胴部５２２を構成する内側部６２２ｂが並列されている。
底部５２６の向こう側に屈曲線６３０ｃを介して、裏胴部５２４を構成する内側部６２４ｂが並列され、内側部６２４ｂの外側に裏胴部５２４を構成する外側部６２４ａが積層されている。
【００７６】
表胴部５２２の外側部６２２ａは、楕円、まゆ型、俵型の貫通孔６０２が穿設されている。
表胴部５２２の内側部６２２ｂは、第１表紙固定部５６０を嵌挿するためのスリット状の第１嵌挿部５２８を形成されている。第１嵌挿部５２８は、内側部６２２ｂの略中央において右側から左側にのびるように形成されている。第１嵌挿部５２８は、表紙部５２０の開口端縁側の近くに収納部５４０の開口部５４８が位置するように構成されている。
裏胴部５２４の内側部６２４ｂは、第２表紙固定部５６２を嵌挿するためのスリット状の第２嵌挿部５３０を形成されている。第２嵌挿部５３０は、内側部６２４ｂの略中央において右側から左側にのびるように形成されている。第２嵌挿部５３０は、表紙部５２０の開口端縁側の近くに収納部５４０の開口部５４８が位置するように構成されている。
【００７７】
表紙部材６２０は、蓋部５３２を構成する天部５３４と被せ部５３６とを備える。
蓋部５３２は、蓋部の外側部６３２ａと蓋部の内側部６３２ｂとを備える。
裏胴部５２４と蓋部５３２とは、屈曲線６３０で区画されている。
天部５３４と裏胴部５２４とは、屈曲線６３０ｄで区画され、天部５３４と被せ部５３６とは、屈曲線６３０ｅで区画されている。
蓋部の外側部６３２ａと蓋部の内側部６３２ｂとは、屈曲線６３０ｆで区画されている。
屈曲線６３０ａと屈曲線６３０ｂと屈曲線６３０ｃと屈曲線６３０ｄと屈曲線６３０ｅと屈曲線６３０ｆとは、各々平行に形成されている。
【００７８】
蓋部５３２を構成する蓋部の外側部６３２ａと蓋部の内側部６３２ｂとは、略々同じ方形板状体であり、蓋部５３２は、蓋部の外側部６３２ａと蓋部の内側部６３２ｂとの複数の層からなる積層構造体である。
天部５３４は、蓋部の外側部６３２ａ及び蓋部の内側部６３２ｂなどより小さな方形板状体である。
裏胴部５２４の向こう側に屈曲線６３０ｄを介して天部５３４が並列されている。
天部５３４の向こう側に屈曲線６３０ｅを介して被せ部５３６が並列されている。
天部５３４の向こう側に屈曲線６３０ｅを介して蓋部５３２を構成する被せ部５３６の外側部６３２ａが並列され、蓋部の外側部６３２ａの向こう側に屈曲線６３０ｆを介して蓋部５３２を構成する被せ部５３６の内側部６３２ｂが並列されている。
蓋部５３２を構成する蓋部の内側部６３２ｂは、楕円、まゆ型、俵型の貫通孔６０２が穿設されている。
【００７９】
表胴部５２２は、表胴部５２２の上方である、上縁５２２ａの近くに、被せ部５３６を表胴部５２２に止めるための留め具６４０を固定する留め具固定部６００が形成されている。
被せ部５３６は、下縁５３２ｄの近くに、被せ部５３６を表胴部５２２に止めるための留め具６５０を固定する留め具固定部６１０が形成されている。
【００８０】
一方の留め具６４０は、平面視、楕円、まゆ型、俵型などの面状ファスナ６４２からなり、他方の留め具６５０は、平面視、楕円、まゆ型、俵型などの面状ファスナ６５２からなる。
面状ファスナ６４２は、基材６４４と基材６４４の表側に形成された鉤ないしはきのこ状の係止部６４６とを備える。
面状ファスナ６５２は、基材６５４と基材６５４の表側に形成されたループ状係止部６５６とを備える。
留め具６４０は、表胴部５２２の留め具固定部６００に、表側の鉤ないしはきのこ状の係止部６４６とは反対側の基材６４４の裏面にて固定される。
他方の留め具６５０は、被せ部５３６の留め具固定部６１０に、表側のループ状係止部６５６とは反対側の基材６５４の裏面にて固定される。
そして、被せ部５３６の留め具６５０の係止部６５６は、被せ部５３６を閉じたとき、表胴部５２２の留め具６４０の係止部６４６に係合される。
【００８１】
蓋部５３２が閉じられたとき、天部５３４は、底部５２６と対向し、被せ部５３６は、表胴部５２２の表側に重ねられる。
被せ部５３６の留め具６５０は、表胴部５２２の留め具６４０に係合される。
【００８２】
表紙部材６２０により表紙部５２０を形成する方法について、主として図２８及び図２９に基づいて説明する。
【００８３】
表胴部５２２を構成する外側部６２２ａと内側部６２２ｂとは、略々同じ方形板状体であり、表胴部５２２は、外側部６２２ａと内側部６２２ｂとの複数の層からなる積層構造体を形成するように構成されている。表胴部５２２を構成する外側部６２２ａは、楕円、まゆ型、俵型の貫通孔６０２が穿設されている。
裏胴部５２４を構成する外側部６２４ａと内側部６２４ｂとは、方形板状体であり、裏胴部５２４は、外側部６２４ａと内側部６２４ｂとの複数の層からなる積層構造体を形成するように構成されている。
底部５２６は、表胴部５２２及び裏胴部５２４より小さな方形板状体である。
底部５２６の手前側に屈曲線６３０ａを介して、表胴部５２２を構成する外側部６２２ａが並列され、外側部６２２ａの手前側に屈曲線６３０ｂを介して、表胴部５２２を構成する内側部６２２ｂが並列されている。
【００８４】
表紙部材６２０は、蓋部５３２を構成する天部５３４と被せ部５３６とを備える。
蓋部５３２は、蓋部の外側部６３２ａと蓋部の内側部６３２ｂとを備える。
裏胴部５２４と蓋部５３２とは、屈曲線６３０で区画されている。
天部５３４と裏胴部５２４とは、屈曲線６３０ｄで区画され、天部５３４と被せ部５３６とは、屈曲線６３０ｅで区画されている。
蓋部の外側部６３２ａと蓋部の内側部６３２ｂとは、屈曲線６３０ｆで区画されている。
屈曲線６３０ａと屈曲線６３０ｂと屈曲線６３０ｃと屈曲線６３０ｄと屈曲線６３０ｅと屈曲線６３０ｆとは、各々平行に形成されている。
【００８５】
蓋部５３２を構成する蓋部の外側部６３２ａと蓋部の内側部６３２ｂとは、略々同じ方形板状体であり、蓋部５３２は、蓋部の外側部６３２ａと蓋部の内側部６３２ｂとの複数の層からなる積層構造体を形成するように構成されている。
天部５３４は、蓋部の外側部６３２ａ及び蓋部の内側部６３２ｂなどより小さな方形板状体である。
裏胴部５２４の向こう側に屈曲線６３０ｄを介して天部５３４が並列されている。
天部５３４の向こう側に屈曲線６３０ｅを介して被せ部５３６が並列されている。
天部５３４の向こう側に屈曲線６３０ｅを介して蓋部５３２を構成する被せ部５３６の外側部６３２ａが並列され、蓋部の外側部６３２ａの向こう側に屈曲線６３０ｆを介して蓋部５３２を構成する被せ部５３６の内側部６３２ｂが並列されている。
蓋部５３２を構成する蓋部の内側部６３２ｂは、楕円、まゆ型、俵型の貫通孔６０２が穿設されている。
外側部６２２ａと内側部６２２ｂとは、その間の屈曲線６３０ｂで折り曲げて、接合されて表胴部５２２を形成される。
外側部６２４ａと内側部６２４ｂとは、外側部６２４ａの外面と内側部６２４ｂの内面とを接着剤で接着するか超音波で溶着することにより接着されて、積層される。
蓋部の外側部６３２ａと蓋部の内側部６３２ｂとは、その間の屈曲線６３０ｆで折り曲げて、接合されて蓋部５３２の被せ部５３６を形成される。
【００８６】
一方の留め具固定部６００は、表胴部の外側部６２２ａに穿設された楕円、まゆ型、俵型の貫通孔６０２と表胴部の内側部６２２ｂの内面との間に、留め具６４０を固定するための面状ファスナ用凹部６０４を形成されてなる。
面状ファスナ用凹部６０４は、固定される面状ファスナ６４２の外形に対応した形状である。
他方の留め具固定部６１０は、蓋部の内側部６３２ｂに形成された楕円、まゆ型、俵型の留め具６５０を固定するための平面を形成されてなる。
面状ファスナを固定する平面は、固定される面状ファスナ６５２の外形に対応した面積を備える。
【００８７】
一方の留め具６４０を構成する面状ファスナ６４２は、その鉤ないしはきのこ状係止部６４６に、他方の留め具６５０を構成する面状ファスナ６５２のループ状係止部６５６を係止させた状態において、貫通孔６０２に嵌め込まれる。
留め具６４０は、表胴部の内側部６２２ｂの予め設定された位置において、鉤ないしはきのこ状係止部６４６とは反対側の基材６４４の面を接着剤で接着するか超音波で溶着することにより接着して固定される。
而して、前記面状ファスナ用凹部６０４は、前記複数層の少なくとも一部の層に形成されているので、面状ファスナ用凹部６０４と面状ファスナ用凹部６０４を形成された層の下方にある層とによって囲繞され、容易に面状ファスナ６４２，面状ファスナ６５２の位置決めができる。
留め具６５０は、蓋部の外側部６３２ａの予め設定された位置において、ループ状係止部６５６とは反対側の基材６５４の面を接着剤で接着するか超音波で溶着することにより接着して固定される。
留め具６４０を構成する面状ファスナ６４２は、面状ファスナ用凹部６０４から鉤ないしはきのこ状係止部６４６が露出している。
留め具６５０を構成する面状ファスナ６５２は、蓋部の内側部６３２ｂの表面からループ状係止部６５６が露出している。
【符号の説明】
【００８８】
１０，３１０，５１０  収納具
２０，５２０  表紙部
２２，５２２  表胴部
２２ａ，２４ａ，５２２ａ，５２４ａ  上縁
２２ｂ，２４ｂ，３２ｂ，５２２ｂ，５２４ｂ，５３２ｂ  右側縁
２２ｃ，２４ｃ，３２ｃ，５２２ｃ，５２４ｃ，５３２ｃ  左側縁
２２ｄ，２４ｄ，３２ｄ，５２２ｄ，５２４ｄ，５３２ｄ  下縁
２４，５２４  裏胴部
２６，５２６  底部
２８，５２８  第１嵌挿部
３０，５３０  第２嵌挿部
３２，５３２  蓋部
３４，５３４  天部
３６，５３６  被せ部
４０，３４０，５４０  収納部
４２ａ，３４２ａ  第１収納部（右側）
４２ｂ，３４２ｂ  第２収納部（左側）
３４２ｃ  第３収納部
４４  袋状部
４４ａ  第１袋状部
４４ｂ  第２袋状部
４８，５４８  開口部
５０  収納部材
５２，３５２  第１主面部
５４，３５４  第２主面部
５６ａ  第１係合部材
５６ｂ  第４係合部材
５６ｃ，５８ｃ  係合溝
５６ｅ，５８ｅ  ガイド部
５８ａ，３５８ａ  第２係合部材
５８ｂ，３５８ｂ  第３係合部材
５８ｆ  挿通部
６０，５６０  第１表紙固定部
６２，５６２  第２表紙固定部
６４  底縁部
６４ａ  第１境界
６４ｂ  第３境界
６４Ｓ，９０Ｓ  スリット部
６６，３６６  第１保持部
６６ａ，６８ａ  第１挿通孔
６６ｂ，６８ｂ  第２挿通孔
６６ｃ，６８ｃ  帯状部
６８，３６８  第２保持部
７２  第１側縁部（右側）
７２ａ  第５境界
７２ｂ  第７境界
７４  第２側縁部（左側）
７４ａ  第６境界
７４ｂ  第８境界
９０  手前側の開口縁部
９２  向こう側の開口縁部
９０ａ  第２境界
９０ｂ  第４境界
９６  第１凹部
９８  第２凹部
１００，１１０，６００，６１０  留め具固定部
１０２，６０２  貫通孔
１０４，１１４，６０４  面状ファスナ用凹部
１２０，６２０  表紙部材
１２２ａ，６２２ａ  表胴部の外側部
１２２ｂ，６２２ｂ  表胴部の内側部
１２４ａ，６２４ａ  裏胴部の外側部
１２４ｂ，６２４ｂ  裏胴部の内側部
１３０，１３０ａ，１３０ｂ，１３０ｃ，１３０ｄ，１３０ｅ，１３０ｆ，６３０，６３０ａ，６３０ｂ，６３０ｃ，６３０ｄ，６３０ｅ，６３０ｆ  屈曲線
１３２ａ，６３２ａ  蓋部の外側部
１３２ｂ，６３２ｂ  蓋部の内側部
１４０，１５０，６４０，６５０  留め具
１４２，１５２，６４２，６５２  面状ファスナ
１４４，１５４，６４４，６５４  基材
１４６，１５６，６４６，６５６  係止部
Ｘ  被収納物
【図１】
0005643781.tif 000002
【図２】
0005643781.tif 000003
【図３】
0005643781.tif 000004
【図４】
0005643781.tif 000005
【図５Ａ】
0005643781.tif 000006
【図５Ｂ】
0005643781.tif 000007
【図６】
0005643781.tif 000008
【図７】
0005643781.tif 000009
【図８】
0005643781.tif 000010
【図９】
0005643781.tif 000011
【図１０】
0005643781.tif 000012
【図１１】
0005643781.tif 000013
【図１２】
0005643781.tif 000014
【図１３】
0005643781.tif 000015
【図１４】
0005643781.tif 000016
【図１５】
0005643781.tif 000017
【図１６】
0005643781.tif 000018
【図１７】
0005643781.tif 000019
【図１８】
0005643781.tif 000020
【図１９】
0005643781.tif 000021
【図２０】
0005643781.tif 000022
【図２１】
0005643781.tif 000023
【図２２】
0005643781.tif 000024
【図２３】
0005643781.tif 000025
【図２４】
0005643781.tif 000026
【図２５】
0005643781.tif 000027
【図２６】
0005643781.tif 000028
【図２７】
0005643781.tif 000029
【図２８】
0005643781.tif 000030
【図２９】
0005643781.tif 000031